(57)【特許請求の範囲】
【請求項１】
入力された元画像に応じて時分割暗号化画像フレーム群と前記時分割暗号化画像フレーム群に対応した暗号鍵とを生成し出力する暗号化部と、
前記暗号化部から入力された前記時分割暗号化画像フレーム群と前記暗号鍵とに応答して同期信号を生成し、前記同期信号を前記時分割暗号化画像フレーム群と前記暗号鍵と共に出力する送信部と、
前記送信部から入力された前記時分割暗号化画像フレーム群と前記同期信号とに応じて暗号化画像を表示する表示部と、
前記暗号鍵と前記同期信号に応答して前記暗号化画像を復元する復元部とを有することを特徴とする暗号化画像認識システム。
【請求項２】
前記暗号化部が、
所定の元画像の時分割数およびダミー画像の時分割数を決定し出力する時分割数決定部と、
前記元画像と前記元画像の時分割数から時分割元画像フレーム群を生成し出力する時分割画像生成部と、
前記元画像と前記ダミー画像の時分割数から時分割ダミー画像フレーム群を生成し出力する時分割ダミー画像生成部と、
前記時分割元画像フレーム群および前記時分割ダミー画像フレーム群を受け、前記時分割元画像フレーム群の各画像フレームと前記時分割ダミー画像フレーム群の各画像フレームをランダムに、或いは、一定の規則性を持たせて配列した前記時分割暗号化画像フレーム群および前記時分割暗号化画像フレーム群の配列情報を生成し出力する暗号化画像生成部と、
前記配列情報に応答した前記暗号鍵を生成し出力する暗号鍵生成部とを有することを特徴とする、請求項１記載の暗号化画像認識システム。
【請求項３】
前記送信部が、
前記時分割暗号化画像フレーム群を受け前記時分割暗号化画像フレーム群を出力する暗号化画像送信部と、
前記暗号鍵を受け前記暗号鍵を出力する暗号鍵送信部と、
前記時分割暗号化画像フレーム群と前記暗号鍵とを受け、前記時分割暗号化画像フレーム群と前記暗号鍵との同期信号を生成し出力する画像・鍵同期制御部を有することを特徴とする、請求項１乃至２の何れか１項記載の暗号化画像認識システム。
【請求項４】
前記復元部が、
前記暗号鍵と前記同期信号を受けて前記暗号鍵と前記同期信号に応じたシャッター開閉信号を生成し出力するシャッター制御部と、
前記シャッター開閉信号を受け前記シャッター開閉信号に応じた開閉を行うシャッター部とを有することを特徴とする、請求項１乃至３の何れか１項記載の暗号化画像認識システム。
【請求項５】
入力された元画像と予め格納された暗号鍵に応じて時分割暗号化画像フレーム群を生成し、前記時分割暗号化画像フレーム群と前記予め格納された暗号鍵とを出力する暗号化部と、
前記暗号化部から入力された前記時分割暗号化画像フレーム群と前記予め格納された暗号鍵とに応答して同期信号を生成し、前記同期信号を前記時分割暗号化画像フレーム群と前記予め格納された暗号鍵と共に出力する送信部と、
前記送信部から入力された前記時分割暗号化画像フレーム群と前記同期信号とに応じて暗号化画像を表示する表示部と、
前記予め格納された暗号鍵と前記同期信号に応答して前記暗号化画像を復元する復元部とを有することを特徴とする暗号化画像認識システム。
【請求項６】
前記暗号化部が、
所定の元画像の時分割数およびダミー画像の時分割数を決定し出力する時分割数決定部と、
前記元画像と前記元画像の時分割数から時分割元画像フレーム群を生成し出力する時分割画像生成部と、
前記元画像と前記ダミー画像の時分割数から時分割ダミー画像フレーム群を生成し出力する時分割ダミー画像生成部と、
前記時分割元画像フレーム群および前記時分割ダミー画像フレーム群を受け、前記時分割元画像フレーム群の各画像フレームと前記時分割ダミー画像フレーム群の各画像フレームを、前記予め格納された暗号鍵により時系列に配列した前記時分割暗号化画像フレーム群を生成し出力する暗号化画像生成部と、
前記予め格納された暗号鍵を格納し出力する暗号鍵格納部とを有することを特徴とする、請求項５記載の暗号化画像認識システム。
【請求項７】
前記復元部が、複数の暗号鍵の中から暗号鍵を指定する暗号鍵指定部を有し、前記暗号鍵指定部で指定された暗号鍵と前記同期信号に応じたシャッター開閉信号を生成し出力するシャッター制御部と、
前記シャッター開閉信号を受け前記シャッター開閉信号に応じた開閉を行うシャッター部とを有することを特徴とする、請求項１乃至６の何れか１項記載の暗号化画像認識システム。
【請求項８】
前記復元部が複数であることを特徴とする、請求項７記載の暗号化画像認識システム。
【請求項９】
前記復元部が、メガネ構造、或いは、ヘルメットのバイザー構造、或いは、目に直接挿入するコンタクトレンズ構造、或いは、自動車等のフロントガラスもしくはサイドガラスであることを特徴とする、請求項１乃至８の何れか１項記載の暗号化画像認識システム。
【請求項１０】
前記ダミー画像を構成する色の比率が、前記元画像を構成する色の比率と同等であることを特徴とする、請求項２、或いは、６記載の暗号化画像認識システム。
【発明の詳細な説明】
【技術分野】
【０００１】
本発明は、元画像を暗号化した画像を表示し、復元部を通して表示画像を目視することで暗号化画像を復元する、暗号化画像認識システム、および暗号化画像認識方法に関する。
【背景技術】
【０００２】
屋外や屋内の公共の場で、各種の情報端末を利用する場合には、表示された画像の目視による情報流出により、プライバシーやセキュリティが守られないといった危険性が常に存在している。そのため、これらの利用に際しては、各個人の責任のもとで注意深い運用が求められている。情報流出を防止するための防衛手段としては、たとえば、携帯電話などの携帯端末やパーソナルコンピュータの場合では、ディスプレイの表面に視野角を狭める覗き見防止フィルムを張る、また、銀行やコンビニエンスストアのＡＴＭの場合では、覗き見や盗撮がされていないか周りに気を配りながら暗証番号を入力する、といった対策が取られてきた。
【０００３】
一方、ユーザ以外に元の画像が認識されるのを防ぐことができる、本体とメガネとから構成された画像表示装置が、特許文献１に開示されている。この装置では、秘匿したい元の画像とその反対色からなる画像を、画面に時分割で交互に表示し、残像により元の画像を反対色画像で打ち消すことで元の画像を秘匿する。一方、ユーザは、時分割された表示画像のタイミングと同期して偏光方向を切り替える偏光切替機と、偏光フィルターの組み合わせにより光の透過性を変化させることのできるメガネを通して表示画像を目視することで、表示画像から元の画像だけを抽出して閲覧することができる。
【先行技術文献】
【特許文献】
【０００４】
【特許文献１】特開２００９−２０４９４８
【発明の開示】
【発明が解決しようとする課題】
【０００５】
特許文献１では、秘匿したい元の画像とその反対色からなる画像を、画面に時分割で交互に周期的に表示することから、フィルタリングの周期を知られることで、第三者が比較的容易にフィルタリングできてしまっていた。その結果、元の画像が第三者に認識されてしまい、プライバシーやセキュリティが守られない危険を生じていた。
【０００６】
本発明は、携帯端末、パーソナルコンピュータ、ＡＴＭなどの各種ディスプレイや、映画などの各種スクリーンなどに表示された画像からの目視による情報流出を高度に防止し、十分なプライバシーやセキュリティの保護を行うことを目的とする。
【課題を解決するための手段】
【０００７】
入力された元画像に応じて時分割暗号化画像フレーム群と前記時分割暗号化画像フレーム群に対応した暗号鍵とを生成し出力する暗号化部と、前記暗号化部から入力された前記時分割暗号化画像フレーム群と前記暗号鍵とに応答して同期信号を生成し、前記同期信号を前記時分割暗号化画像フレーム群と前記暗号鍵と共に出力する送信部と、前記送信部から入力された前記時分割暗号化画像フレーム群と前記同期信号とに応じて暗号化画像を表示する表示部と、前記暗号鍵と前記同期信号に応答して前記暗号化画像を復元する復元部とを有することを特徴とする。
【発明の効果】
【０００８】
本発明によれば、携帯端末、ATM、パーソナルコンピュータなどの各種ディスプレイや、映画などの各種スクリーンなどに表示された画像からの目視による情報流出を高度に防止し、十分なプライバシーやセキュリティの保護を行うことが可能になる。
【図面の簡単な説明】
【０００９】
【図１】本発明の実施の形態の暗号化画像認識システムを示す図である。
【図２】本発明の実施の形態の暗号化画像認識システムを示す図である。
【図３Ａ】本発明の実施の形態の暗号化画像認識の実施例を示す図である。
【図３Ｂ】本発明の実施の形態の暗号化画像認識の実施例を示す図である。
【図４Ａ】本発明の実施の形態の暗号化画像認識の実施例を示す図である。
【図４Ｂ】本発明の実施の形態の暗号化画像認識の実施例を示す図である。
【図５】本発明の実施の形態の暗号化画像認識システムを示す図である。
【図６】本発明の実施の形態の暗号化画像認識システムを示す図である。
【図７】本発明の実施の形態の暗号化画像認識システムを示す図である。
【発明を実施するための最良の形態】
【００１０】
本発明を実施するための最良の形態について図面を用いて説明する。但し、以下に述べる実施形態には、本発明を実施するために技術的に好ましい限定がされているが、発明の範囲を以下に限定するものではない。
（第１の実施の形態）
図１を用いて、本発明の第１の実施の形態の構成を説明する。図１に示す暗号化画像認識システム１は、静止画や動画などの元画像を時分割して暗号化した時分割暗号化画像フレーム群と時分割暗号化画像フレーム群に対応した暗号鍵を生成する暗号化部１０、時分割暗号化画像フレーム群と暗号鍵とに応答して同期信号を生成し、同期信号を時分割暗号化画像フレーム群と暗号鍵と共に出力する送信部１１、送信された時分割暗号化画像フレーム群と同期信号とに応じて暗号化画像を表示する表示部１２、送信された暗号鍵と同期信号により、表示部１２に表示された暗号化画像を目視することで暗号化画像を復元する復元部１３を有する。復元部１３は、たとえば、図１に示すようなメガネ型であり、暗号化画像をシャッター機能により元画像に復元するためのシャッター部１４とシャッターの開閉を制御するシャッター制御部1５とを有する。
【００１１】
図２を用いて、第１の実施の形態の詳細を説明する。図２は、本発明の第１の実施の形態である暗号化画像認識システム２を示す。静止画や動画などの元画像は、暗号化部２００に取り込まれる。暗号化部２００では、まず、時分割数決定部２０１にて、表示部２２０のフレームレートから、元画像時分割数２５１と、時分割した元画像フレーム間に挿入するダミー画像時分割数２５２を決める。
【００１２】
元画像からは、時分割元画像生成部２０２で時分割した時分割元画像フレーム群２５３と、時分割ダミー画像生成部２０３で元画像を変換し時分割した時分割ダミー画像フレーム群２５４が生成される。さらに、暗号化画像生成部２０４で、これら時分割元画像フレーム群２５３の各画像フレームと時分割ダミー画像フレーム群２５４の各画像フレームを、時系列にランダムに配列した時分割暗号化画像フレーム群２５６を生成する。一方、暗号鍵生成部２０５では、時分割暗号化画像フレーム群２５６の中の、時分割元画像フレームの時系列上の配列の情報２５５を有する暗号鍵２５７を生成する。
【００１３】
時分割暗号化画像フレーム群２５６と暗号鍵２５７は、各々、送信部２１０の暗号化画像送信部２１１と暗号鍵送信部２１２に送られる。暗号化画像送信部２１１では、時分割暗号化画像フレーム群２５６を表示部２２０と画像・鍵同期制御部２１３に送信する。また、暗号鍵送信部２１２では、暗号鍵２５７を復元部２３０と画像・鍵同期制御部２１３に送信する。画像・鍵同期制御部２１３では、時分割暗号化画像フレーム群２５６と暗号鍵２５７を受けて、時分割暗号化画像フレーム群２５６と暗号鍵２５７の同期信号２５８を生成する。さらに、画像・鍵同期制御部２１３では前記同期信号２５８を、表示部２２０と復元部２３０に送信する。
【００１４】
表示部２２０は、時分割暗号化画像フレーム群２５６と同期信号２５８を受けて、暗号化画像２５９を表示する。また、復元部２３０は、暗号鍵２５７と同期信号２５８を受けて、表示部２２０に表示された暗号化画像に同期して、シャッター制御部２３１からシャッター部２３２へシャッター開閉信号２６０が送られる。これに対応してシャッター部２３２が開閉することで、時分割暗号化画像フレーム群２５６に時分割されて挿入されている時分割ダミー画像フレーム２５４が除去される。すなわち、時分割暗号化画像フレーム群２５６の中の各時分割元画像フレームに同期してシャッター部２３２が開き、各時分割ダミー画像フレームに同期してシャッター部２３２が閉じることによって、時分割ダミー画像フレーム群２５４が除去される。よって、当事者は、復元部２３０を介して表示部２２０を目視することによって、時分割元画像フレーム群２５３だけを視覚することによる残像効果により、暗号化画像２５９から復元された元画像を認識することができる。
（実施例１）
暗号化部２００において、時分割暗号化画像フレーム群２５６と暗号鍵２５７を生成し、その後の暗号化画像表示２６１、および、復元により元画像を認識する具体例を、図３Ａおよび図３Ｂを用いて説明する。図３Ａおよび図３Ｂは本発明の暗号化画像認識の実施例を示す。
【００１５】
まず、時分割数決定部２０１で、表示部２２０のフレームレートから、元画像図３Ａ（ａ）の時分割数を決定する。たとえば、表示部２２０のフレームレートが３０ｆｐｓ（フレーム／秒）に対応している場合、画像分析部２０１では、たとえば、時分割元画像フレームを１５枚、時分割ダミー画像フレームを１５枚と割り付ける。以下では、この割り付けを例に説明する。
【００１６】
時分割元画像生成部２０２で時分割元画像フレーム群図３Ａ（ｂ）が生成される。時分割元画像フレームに１５枚を割り付けているので、時分割元画像フレーム群図３Ａ（ｂ）は１５枚の時分割された画像フレームから構成される。１５枚の画像フレームは、離散状の画素による画像フレームからなる。これらの画像フレームを全て重ね合わせると元画像が復元する。
【００１７】
離散状の画素による画像フレームの生成方法は、次の通りである。まず、元画像図３Ａ（ａ）の全面を１５個の画素からなる複数のグループに分割する。各グループごとに、グループの中からランダムに順番に一つずつの画素を選択する。これらの選択された画素を全てのグループで集めて１枚のフレームとし、１５枚のフレームからなる時分割元画像フレーム群図３Ａ（ｂ）を生成する。このとき、１枚の画像フレームは、元画像を認識することができないほどに分解されていることが望ましい。
【００１８】
元画像図３Ａ（ａ）が１５で割り切れない場合は、１５個に満たない画素のグループも生成し、そのグループからもランダムに順に画素を選択する。画素がなくなったところで、このグループからの選択は終了する。
【００１９】
一方、時分割ダミー画像フレーム群図３Ａ（ｃ）は、時分割ダミー画像生成部２０３にて生成される。このとき時分割ダミー画像フレーム群図３Ａ（ｃ）は、１５枚の時分割された画像フレームから構成される。この１５枚の画像フレームは次のように生成される。まず、元画像の色情報を分析し、各色の元画像上での比率を保ちつつ、元画像の色の配置とは異なる色の配置のダミー画像を生成する。このダミー画像から、複数の離散状の画素によるダミー画像フレームを生成する。
【００２０】
たとえば、元画像図３Ａ（ａ）の場合、橙色２０％、水色５０％、ベージュ１５％、白色５％、緑色５％、茶色５％である。この色比率を保ち、元画像の色の配置とは異なる配置に元画像を変換する。その後、複数の離散状の画素によるダミー画像フレームを生成し、時分割ダミー画像フレーム群図３Ａ（ｃ）とする。離散状の画素による画像フレームの生成方法は、前記の時分割元画像フレーム群図３Ａ（ｂ）の離散状の画素による画像フレームの生成方法と同様である。
【００２１】
元画像の色比率を保ったダミー画像フレームとする理由は、次の通りである。すなわち、例えば、もし本暗号化画像認識システムの利用者が白黒のドキュメントを読んでおり、そこに赤や青などの元画像の配色とは異なる配色の画像フレームが、ダミー画像フレームとして挿入されていた場合、目視によって容易に元画像とダミー画像とに切り分けることができてしまう。これを避けるためには、元画像と同じ色比率を有するダミー画像とすることが有効である。
【００２２】
以上のように生成された時分割元画像フレーム群図３Ａ（ｂ）と時分割ダミー画像フレーム群図３Ａ（ｃ）を、時系列上にランダムに配置して、時分割暗号化画像フレーム群図３Ｂ（ｄ）を生成する。この時分割暗号化画像フレーム群図３Ｂ（ｄ）は３０枚の画像フレームからなる。さらに、このとき時分割暗号化画像フレーム群図３Ｂ（ｄ）の中で、時系列上に配置された時分割元画像フレーム群図３Ａ（ｂ）の各フレームの時系列上での位置（図３Ｂ（ｄ）では１、４、６・・・）に対応した暗号鍵図３Ｂ（ｅ）を生成する。
【００２３】
以上のように生成された時分割暗号化画像フレーム群図３Ｂ（ｄ）と暗号鍵図３Ｂ（ｅ）は、送信部２１０により、時分割暗号化画像フレーム群と暗号鍵とを同期させる同期信号を伴って、各々、表示部２２０と復元部２３０に送信される。表示部２２０では、３０枚の画像フレームからなる時分割暗号化画像フレーム群図３Ｂ（ｄ）が同期信号を伴って３０ｆｐｓで表示されることで、暗号化画像図３Ｂ（ｆ）が表示される。これを直接に目視しても元画像は認識されない。
【００２４】
一方、復元部２３０は、たとえば図１に示すようなメガネ型であり、暗号鍵に同期したシャッター開閉が行われる。シャッター部１４としては次の方法などが可能である。すなわち、シャッター部１４には、時分割された表示画像のタイミングと同期して偏光方向を切り替える偏光切替部と偏光フィルター部が組み合わされている。この組み合わせにより光の透過性を変化させ、開閉を行う。シャッター部１４としてはまた、白黒のTN型液晶や強誘電液晶などからなる液晶フィルターを用い、光の透過性を変化させることでの開閉も可能である。以上の復元部２３０を通して、表示部２２０を目視することで、時分割元画像フレーム群だけを視覚することによる残像効果により、復元画像図３Ｂ（ｇ）が認識される。
【００２５】
なお、実施例１では、時分割数決定部２０１で、時分割元画像フレームに１５枚、時分割ダミー画像フレームに１５枚を割り付けたが、時分割元画像フレームの時分割数と時分割ダミー画像フレームの時分割数は等しい必要は無く、時分割元画像フレームの時分割数の方が多くても良く、また、時分割ダミー画像フレームの時分割数の方が多くても良い。
【００２６】
また、実施例１では、時分割元画像フレーム群図３Ａ（ｂ）と時分割ダミー画像フレーム群図３Ａ（ｃ）を、時系列上にランダムに配置して、時分割暗号化画像フレーム群図３Ｂ（ｄ）を生成する場合を説明したが、これに限定されることなく、時系列上に一定の規則性を持たせて配置することも可能である。
（実施例２）
暗号化部２００において、時分割暗号化画像フレーム群と暗号鍵を生成し、その後の暗号化画像表示、および、復元により元画像を認識する具体例を、図４Ａおよび図４Ｂを用いて説明する。図４Ａおよび図４Ｂは本発明の暗号化画像認識の実施例を示す。
【００２７】
まず、時分割数決定部２０１で、表示部２２０のフレームレートから、元画像図４Ａ（ａ）の時分割数を決定する。時分割元画像生成部２０２では、元画像図４Ａ（ａ）を左目用と右目用に、画素行を交互に割り付けることで分割し（図４Ａ（ｂ））、左目用と右目用の画像ごとに時分割元画像フレーム群図４Ａ（ｃ）を生成する。また、時分割ダミー画像生成部２０３では、元画像図４Ａ（ａ）を左目用と右目用に、画素行を交互に割り付けることで分割し（図４Ａ（ｂ））、左目用と右目用の画像ごとに時分割ダミー画像フレーム群図４Ａ（ｄ）を生成する。
【００２８】
このとき、表示部２２０のフレームレートが６０ｆｐｓに対応している場合、時分割数決定部２０１では、たとえば、左目用と右目用の時分割元画像フレームにそれぞれ１５枚、左目用と右目用の時分割ダミー画像フレームにそれぞれ１５枚を割り付ける。以下では、この割り付けを例に説明する。
【００２９】
左目用と右目用ごとの時分割元画像フレーム群図４Ａ（ｃ）と時分割ダミー画像フレーム群図４Ａ（ｄ）の、離散状の画素による各画像フレームの生成方法は、実施例１の場合と同様である。
【００３０】
生成された時分割元画像フレーム群図４Ａ（ｃ）と時分割ダミー画像フレーム群図４Ａ（ｄ）を、時系列上にランダムに配置して、左目用と右目用に各々対応した時分割暗号化画像フレーム群図４Ｂ（ｅ）、図４Ｂ（ｆ）を生成する。さらに、このとき時系列上に配置された時分割元画像フレーム群の各フレームの時系列上の位置（図４では、左目用は１、４、６・・・、右目用は１、３、６、・・・）に対応した左目用と右目用の暗号鍵図４Ｂ（ｇ）を生成する。
【００３１】
以上のように生成された左目用と右目用の時分割暗号化画像フレーム群図４Ｂ（ｅ）、図４Ｂ（ｆ）と暗号鍵図４Ｂ（ｇ）は、送信部２１０により、時分割暗号化画像フレーム群と暗号鍵とを同期させる同期信号を伴って、各々、表示部２２０と復元部２３０に送信される。
【００３２】
表示部２２０の表面には、左目用の画素行と右目用の画素行に対応して、左回転用の円偏光フィルターと右回転用の円偏光フィルターを設けておく。一方、メガネ型の復元部２３０の左目用シャッターと右目用シャッターの表面にも、それぞれ、左回転用の円偏光フィルターと右回転用の円偏光フィルターを設けておく。これにより、表示画像の左目用の画素行は左目だけに、右目用の画素行は右目だけに認識されるようになる。
【００３３】
復元部２３０は、シャッター部１４として、白黒のTN型液晶や強誘電液晶などからなる液晶フィルターを用い、光の透過性を変化させることで開閉を行う。
【００３４】
表示部２２０では、３０枚の画像フレームからなる時分割暗号化画像フレーム群（左目用）図４Ｂ（ｅ）と３０枚の画像フレームからなる時分割暗号化画像フレーム群（右目用）図４Ｂ（ｆ）との合計６０枚の画像フレームが、が同期信号を伴って６０ｆｐｓで表示されることで、暗号化画像図４Ｂ（ｈ）が表示される。これを直接に目視しても元画像は認識されない。一方、復元部２３０の左目用と右目用のシャッターでは、左目用と右目用の暗号鍵に同期した開閉がそれぞれ行われる。この復元部２３０を通して、表示部２２０を目視することで、時分割元画像フレーム群だけを視覚することによる残像効果により、復元画像図４Ｂ（ｉ）が認識される。
【００３５】
以上の方法では、元画像を左目用と右目用に分けることによって、より一層の暗号化の強化が図られている。
【００３６】
なお、実施例２では、時分割数決定部２０１で、左目用と右目用の時分割元画像フレームにそれぞれ１５枚、左目用と右目用の時分割ダミー画像フレームにそれぞれ１５枚を割り付けたが、これらの時分割数は等しい必要はない。
【００３７】
また、実施例２では、時分割元画像フレーム群図４Ａ（ｃ）と時分割ダミー画像フレーム群図４Ａ（ｄ）を、時系列上にランダムに配置して、時分割暗号化画像フレーム群図４Ｂ（ｅ）、図４Ｂ（ｆ）を生成する場合を説明したが、これに限定されることなく、時系列上に一定の規則性を持たせて配置することも可能である。
（第２の実施の形態）
図５を用いて第２の実施の形態を説明する。図５は、図１の構成における、本発明の第２の実施の形態である暗号化画像認識システム５を示す。静止画や動画などの元画像は、暗号化部５００に取り込まれる。暗号化部５００では、まず、時分割数決定部５０１にて、表示部５２０のフレームレートから、元画像時分割数５５１と、時分割した元画像フレーム間に挿入するダミー画像時分割数５５２を決める。
【００３８】
元画像からは、時分割元画像生成部５０２で時分割した時分割元画像フレーム群５５３と、時分割ダミー画像生成部５０３で元画像を変換し時分割した時分割ダミー画像フレーム群５５４が生成される。さらに、暗号化画像生成部５０４で、これら時分割元画像フレーム群５５３の各画像フレームと時分割ダミー画像フレーム群５５４の各画像フレームを、暗号鍵格納部５０５に予め格納された１つ以上の暗号鍵の中から指定される暗号鍵５５５に沿って配列した時分割暗号化画像フレーム群５５６を生成する。
【００３９】
暗号鍵格納部５０５に格納された暗号鍵５５５は、時分割元画像フレーム群２５３の各画像フレームと時分割ダミー画像フレーム群２５４の各画像フレームを、時系列に配列するための配列の情報を有している。また、暗号鍵格納部５０５に予め格納された１つ以上の暗号鍵の中から暗号鍵を指定する際には、画像分析部５０１で得られた時分割数情報を参照して指定することも可能である（図５中に図示なし）。
【００４０】
たとえば、時分割数決定部５０１で、時分割元画像フレームに１５枚、時分割ダミー画像フレームに１５枚の時分割数を割り付けた場合、時分割暗号化画像フレーム群５５６の画像フレームは３０枚となる。予め格納された暗号鍵５５５は、この３０枚の画像フレームの中の、どの位置に時分割元画像フレーム群５５３の画像フレームを配列するかの情報を有する。
【００４１】
時分割暗号化画像フレーム群５５６と暗号鍵５５５は、各々、送信部５１０の暗号化画像送信部５１１と暗号鍵送信部５１２に送られる。暗号化画像送信部５１１では、時分割暗号化画像フレーム群５５６を表示部５２０と画像・鍵同期制御部５１３に送信する。また、暗号鍵送信部５１２では、暗号鍵５５５を復元部５３０と画像・鍵同期制御部５１３に送信する。画像・鍵同期制御部５１３では、時分割暗号化画像フレーム群５５６と暗号鍵５５５を受けて、時分割暗号化画像フレーム群５５６と暗号鍵５５５の同期信号５５７を生成する。さらに、画像・鍵同期制御部５１３では前記の同期信号５５７を、表示部５２０と復元部５３０に送信する。
【００４２】
表示部５２０は、時分割暗号化画像フレーム群５５６と同期信号５５７を受けて、暗号化画像５５８を表示する。また、復元部５３０は、暗号鍵５５５と同期信号５５７を受けて、表示部５２０の表示された暗号化画像５５８に同期して、シャッター制御部５３１からシャッター部５３２へシャッター開閉信号５５９が送られる。これに対応してシャッター部５３２が開閉することで、時分割暗号化画像フレーム群５５６に時分割されて挿入されている時分割ダミー画像フレーム５５４が除去される。すなわち、時分割暗号化画像フレーム群５５６の中の各時分割元画像フレームに同期してシャッター部５３２が開き、各時分割ダミー画像フレームに同期してシャッター部５３２が閉じることによって、時分割ダミー画像フレーム群５５４だけが除去される。よって、当事者は、復元部５３０を介して表示部５２０を目視することによって、時分割元画像フレーム群５５３だけを視覚することによる残像効果により、暗号化画像５５８から復元された元画像を認識することができる。
（第３の実施の形態）
図６を用いて第３の実施の形態を説明する。図６は、図１の構成における、本発明の第３の実施の形態である暗号化画像認識システム６を示す。静止画や動画などの元画像は、暗号化部６００に取り込まれる。暗号化部６００では、まず、時分割数決定部６０１にて、表示部６２０のフレームレートから、元画像時分割数６５１と、時分割した元画像間フレームに挿入するダミー画像時分割数６５２を決める。
【００４３】
元画像からは、時分割元画像生成部６０２で時分割した時分割元画像フレーム群６５３と、時分割ダミー画像生成部６０３で元画像を変換し時分割した時分割ダミー画像フレーム群６５４が生成される。さらに、暗号化画像生成部６０４で、これら時分割元画像フレーム群６５３と時分割ダミー画像フレーム群６５４の各画像フレームを、暗号鍵格納部６０５に予め格納された１つ以上の暗号鍵の中から指定される暗号鍵に沿って配列した時分割暗号化画像フレーム群６５６を生成する。暗号鍵格納部６０５に予め格納された１つ以上の暗号鍵の中から暗号鍵を指定する際には、画像分析部６０１で得られた時分割数情報を参照して指定することも可能である（図６中に図示なし）。
【００４４】
たとえば、時分割数決定部６０１で、時分割元画像フレームに１５枚、時分割ダミー画像フレームに１５枚の時分割数を割り付けた場合、時分割暗号化画像フレーム群６５６の画像フレームは３０枚となる。予め格納された暗号鍵６５５は、この３０枚の画像フレームの中の、どの位置に時分割元画像フレーム群６５３の画像フレームを配列するかの情報を有する。
【００４５】
時分割暗号化画像フレーム群６５６と暗号鍵指定信号６５７は、各々、送信部６１０の暗号化画像送信部６１１と暗号鍵指定信号送信部６１２に送られる。暗号鍵指定信号６５７は、暗号鍵格納部６０５に予め格納された１つ以上の暗号鍵の中から暗号鍵を指定するための信号であり、暗号鍵６５５に対応するものである。
【００４６】
暗号化画像送信部６１１では、時分割暗号化画像フレーム群６５６を表示部６２０と画像・鍵同期制御部６１３に送信する。また、暗号鍵指定信号送信部６１２では、暗号鍵指定信号６５７を復元部６３０と画像・鍵同期制御部６１３に送信する。画像・鍵同期制御部６１３では、時分割暗号化画像フレーム群検出信号６５８と暗号鍵指定信号６５７を受けて、時分割暗号化画像フレーム群信号６５６と暗号鍵指定信号６５７から指定される暗号鍵との同期信号６５８を生成する。さらに、画像・鍵同期制御部６１３では前記の同期信号６５８を、表示部６２０と復元部６３０に送信する。
【００４７】
表示部６２０は、時分割暗号化画像フレーム群６５６と同期信号６５８を受けて、暗号化画像６５９を表示する。
【００４８】
復元部６３０では、暗号鍵指定信号６５７を受けて、暗号鍵格納部６３３（図１中に図示なし）に予め格納された１つ以上の暗号鍵の中から暗号鍵６６０を指定する。この暗号鍵６６０と同期信号６５８によって、表示部６２０に表示された暗号化画像６５９に同期して、シャッター制御部６３１からシャッター部６３２へシャッター開閉信号６６１が送られる。これに対応してシャッター６３２が開閉することで、暗号化画像６５９に時分割されて挿入されている時分割ダミー画像フレーム群６５４が除去される。すなわち、時分割暗号化画像フレーム群６５６の中の各時分割元画像フレーム群６５３に同期してシャッター部６３２が開き、各時分割ダミー画像フレーム群６５４に同期してシャッターが閉じることによって、時分割ダミー画像フレーム群６５４だけが除去される。よって、当事者は、復元部６３０を介して表示部６２０を目視することによって、時分割元画像フレーム群６５３だけを視覚することによる残像効果により、暗号化画像６５９から復元された元画像を認識することができる。
（第４の実施の形態）
図７を用いて第４の実施の形態を説明する。図７は、図１の構成における、本発明の第４の実施の形態である暗号化画像認識システム７を示す。本実施の形態では、複数の当事者が、一ヶ所に表示された暗号化画像を同時に目視しながら、別々の元画像を認識する。
【００４９】
静止画や動画などのＮ個の元画像は、暗号化部７００に取り込まれる。暗号化部７００では、まず、時分割数決定部７０１にて、表示部７２０のフレームレートから、各元画像（1〜Ｎ）の時分割数７５１と、時分割した元画像フレーム間に挿入するダミー画像の時分割数７５２を決める。
【００５０】
Ｎ個の元画像（１〜Ｎ）からは、時分割元画像生成部７０２で時分割したＮ個の時分割元画像フレーム群（1〜Ｎ）７５３と、時分割ダミー画像生成部７０３で元画像を変換し時分割したＮ個の時分割ダミー画像フレーム群（1〜Ｎ）７５４が生成される。さらに、暗号化画像生成部７０４で、これら時分割元画像フレーム群（1〜Ｎ）７５３と時分割ダミー画像フレーム群（1〜Ｎ）７５４の各画像フレームを、時系列にランダムに配列したＮ個の時分割暗号化画像フレーム群（１〜Ｎ）７５６を生成する。一方、暗号鍵生成部７０５では、時分割暗号化画像フレーム群（１〜Ｎ）７５６の、各々の時分割元画像フレームの時系列上の配列の情報７５５を有するＮ個の暗号鍵（１〜Ｎ）７５７を生成する。
【００５１】
時分割暗号化画像フレーム群（１〜Ｎ）７５６と暗号鍵（１〜Ｎ）７５７は、各々、送信部７１０から表示部７２０と復元部７３０に送信される。暗号化画像送信部７１１では、時分割暗号化画像フレーム群（１〜Ｎ）７５６を表示部７２０と画像・鍵同期制御部７１３に送信する。また、暗号鍵送信部７１２では、暗号鍵（１〜Ｎ）７５７を復元部７３０と画像・鍵同期制御部７１３に送信する。画像・鍵同期制御部７１３では、時分割暗号化画像フレーム群７５６と暗号鍵７５７を受けて、時分割暗号化画像フレーム群７５６と暗号鍵７５７の同期信号７５８を生成する。さらに、画像・鍵同期制御部７１３では前記の同期信号を、表示部７２０と復元部７３０に送信する。
【００５２】
表示部７２０は、Ｎ個の時分割暗号化画像フレーム群（１〜Ｎ）７５６と同期信号７５８を受けて、たとえば、１、２、・・・、Ｎの順に暗号化画像７５９を表示する。
【００５３】
復元部７３０は、Ｎ個の暗号鍵（１〜Ｎ）７５７の中から指定された一つの暗号鍵を指定する暗号鍵指定部７３１（図１中に図示なし）により、1〜Ｎの暗号化画像の中で復元したい元画像に対応した暗号鍵７６０を指定する。この暗号鍵７６０と同期信号７５８を受けて、表示部７２０に表示された暗号化画像７５９に同期して、シャッター制御部７３２からシャッター部７３３へシャッター開閉信号７６１が送られる。これに対応してシャッター部７３２が開閉することで、暗号化画像７５９に時分割されて挿入されている時分割ダミー画像フレーム、および、指定外の時分割元画像フレームが除去される。すなわち、時分割元画像フレーム群（１〜Ｎ）７５６の中の指定された一つの時分割元画像フレーム群に同期してシャッター部７３２が開き、その他の場合にはシャッター部７３２が閉じることによって、指定された一つの時分割元画像フレーム群が認識される。よって、第１の当事者は、復元部７３０を介して表示部７２０を目視することによって、暗号化画像７５９の中から指定された一つの元画像を認識することができる。
【００５４】
このとき、同じ表示部７２０を目視する第２の当事者が、別の元画像を認識することが可能である。すなわち、第１の当事者とは別に指定した元画像に対応した暗号鍵７６０により復元することで、第２の当事者は第１の当事者とは別の元画像を、第１の当事者と別の復元部を用いて、第１の当事者と同時に表示部を目視して認識することが可能である。すなわち、本実施の形態では、複数の当事者が、一箇所に表示された暗号化画像７５９を同時に目視しながら、別々の元画像を認識する。
【００５５】
なお、図７において、Ｎ個の時分割暗号化画像フレーム群（１〜Ｎ）としたが、１〜ＮのＮ個の画像フレーム群の各々のフレームを全て混在させた一つの時分割暗号化フレーム群としても良い。その場合、Ｎ個の暗号鍵1〜Ｎは、前記一つの時分割暗号化フレーム群の中から指定の元画像の時分割元画像フレームの時系列上の配置の情報を有する暗号鍵１〜Ｎとする。
【００５６】
また、図７において暗号鍵は時分割暗号化画像フレーム群の生成とともに随時生成されるが、予め暗号化部や復元部に格納されていても良い。
（変更例）
本発明は上記の実施の形態に限らず、その主旨を逸脱しない範囲において様々に変更することができる。
（１）変更例１
図１において、復元部１３としては図１に示すメガネ構造が挙げられるが、メガネ構造に限定されることではなく、ヘルメットのバイザー構造、或いは、目に直接挿入するコンタクトレンズ構造、或いは、自動車等のフロントガラスもしくはサイドガラスなどの板状などが可能である。
（２）変更例２
図１において、表示部１２としては図１に示すパーソナルコンピュータ用のディスプレイが挙げられるが、これに限定されることではなく、携帯端末やＡＴＭなどの各種ディスプレイや、映画などの各種スクリーンなどが可能である。
【００５７】
（付記）
（付記１）
入力された元画像に応じて時分割暗号化画像フレーム群と前記時分割暗号化画像フレーム群に対応した暗号鍵とを生成し出力する暗号化部と、
前記暗号化部から入力された前記時分割暗号化画像フレーム群と前記暗号鍵とに応答して同期信号を生成し、前記同期信号を前記時分割暗号化画像フレーム群と前記暗号鍵と共に出力する送信部と、
前記送信部から入力された前記時分割暗号化画像フレーム群と前記同期信号とに応じて暗号化画像を表示する表示部と、
前記暗号鍵と前記同期信号に応答して前記暗号化画像を復元する復元部とを有することを特徴とする暗号化画像認識システム。
【００５８】
（付記２）
前記暗号化部が、
所定の元画像の時分割数およびダミー画像の時分割数を決定し出力する時分割数決定部と、
前記元画像と前記元画像の時分割数から時分割元画像フレーム群を生成し出力する時分割画像生成部と、
前記元画像と前記ダミー画像の時分割数から時分割ダミー画像フレーム群を生成し出力する時分割ダミー画像生成部と、
前記時分割元画像フレーム群および前記時分割ダミー画像フレーム群を受け、前記時分割元画像フレーム群の各画像フレームと前記時分割ダミー画像フレーム群の各画像フレームをランダムに、或いは、一定の規則性を持たせて配列した前記時分割暗号化画像フレーム群および前記時分割暗号化画像フレーム群の配列情報を生成し出力する暗号化画像生成部と、
前記配列情報に応答した前記暗号鍵を生成し出力する暗号鍵生成部とを有することを特徴とする、付記１記載の暗号化画像認識システム。
【００５９】
（付記３）
前記送信部が、
前記時分割暗号化画像フレーム群を受け前記時分割暗号化画像フレーム群を出力する暗号化画像送信部と、
前記暗号鍵を受け前記暗号鍵を出力する暗号鍵送信部と、
前記時分割暗号化画像フレーム群と前記暗号鍵とを受け、前記時分割暗号化画像フレーム群と前記暗号鍵との同期信号を生成し出力する画像・鍵同期制御部を有することを特徴とする、付記１乃至２の何れか１項記載の暗号化画像認識システム。
【００６０】
（付記４）
前記復元部が、
前記暗号鍵と前記同期信号を受けて前記暗号鍵と前記同期信号に応じたシャッター開閉信号を生成し出力するシャッター制御部と、
前記シャッター開閉信号を受け前記シャッター開閉信号に応じた開閉を行うシャッター部とを有することを特徴とする、付記１乃至３の何れか１項記載の暗号化画像認識システム。
【００６１】
（付記５）
入力された元画像と予め格納された暗号鍵に応じて時分割暗号化画像フレーム群を生成し、前記時分割暗号化画像フレーム群と前記予め格納された暗号鍵とを出力する暗号化部と、
前記暗号化部から入力された前記時分割暗号化画像フレーム群と前記予め格納された暗号鍵とに応答して同期信号を生成し、前記同期信号を前記時分割暗号化画像フレーム群と前記予め格納された暗号鍵と共に出力する送信部と、
前記送信部から入力された前記時分割暗号化画像フレーム群と前記同期信号とに応じて暗号化画像を表示する表示部と、
前記予め格納された暗号鍵と前記同期信号に応答して前記暗号化画像を復元する復元部とを有することを特徴とする暗号化画像認識システム。
【００６２】
（付記６）
前記暗号化部が、
所定の元画像の時分割数およびダミー画像の時分割数を決定し出力する時分割数決定部と、
前記元画像と前記元画像の時分割数から時分割元画像フレーム群を生成し出力する時分割画像生成部と、
前記元画像と前記ダミー画像の時分割数から時分割ダミー画像フレーム群を生成し出力する時分割ダミー画像生成部と、
前記時分割元画像フレーム群および前記時分割ダミー画像フレーム群を受け、前記時分割元画像フレーム群の各画像フレームと前記時分割ダミー画像フレーム群の各画像フレームを、前記予め格納された暗号鍵により時系列に配列した前記時分割暗号化画像フレーム群を生成し出力する暗号化画像生成部と、
前記予め格納された暗号鍵を格納し出力する暗号鍵格納部とを有することを特徴とする、付記５記載の暗号化画像認識システム。
【００６３】
（付記７）
前記送信部が、
前記時分割暗号化画像フレーム群を受け前記時分割暗号化画像フレーム群を出力する暗号化画像送信部と、
前記予め格納された暗号鍵を受け前記予め格納された暗号鍵を出力する暗号鍵送信部と、
前記時分割暗号化画像フレーム群と前記予め格納された暗号鍵とを受け、前記時分割暗号化画像フレーム群と前記予め格納された暗号鍵との同期信号を生成し出力する画像・鍵同期制御部とを有することを特徴とする、付記５乃至６の何れか１項記載の暗号化画像認識システム。
【００６４】
（付記８）
前記復元部が、
前記予め格納された暗号鍵と前記同期信号を受けて前記予め格納された暗号鍵と前記同期信号に応じたシャッター開閉信号を生成し出力するシャッター制御部と、
前記シャッター開閉信号を受け前記シャッター開閉信号に応じた開閉を行うシャッター部とを有することを特徴とする、付記５乃至７の何れか１項記載の暗号化画像認識システム
（付記９）
入力された元画像と予め格納された暗号鍵に応じて時分割暗号化画像フレーム群を生成し、前記時分割暗号化画像フレーム群と前記予め格納された暗号鍵指定信号とを出力する暗号化部と、
前記暗号化部から入力された前記時分割暗号化画像フレーム群と前記予め格納された暗号鍵指定信号とに応答して同期信号を生成し、前記同期信号を前記時分割暗号化画像フレーム群と前記予め格納された暗号鍵指定信号と共に出力する送信部と、
前記送信部から入力された前記時分割暗号化画像フレーム群と前記同期信号とに応じて暗号化画像を表示する表示部と、
前記予め格納された暗号鍵指定信号に応答して、予め格納された暗号鍵を出力し、前記予め格納された暗号鍵と前記同期信号から前記暗号化画像を復元する復元部とを有することを特徴とする暗号化画像認識システム。
【００６５】
（付記１０）
前記暗号化部が、
所定の元画像の時分割数およびダミー画像の時分割数を決定し出力する時分割数決定部と、
前記元画像と前記元画像の時分割数から時分割元画像フレーム群を生成し出力する時分割画像生成部と、
前記元画像と前記ダミー画像の時分割数から時分割ダミー画像フレーム群を生成し出力する時分割ダミー画像生成部と、
前記時分割元画像フレーム群および前記時分割ダミー画像フレーム群を受け、前記時分割元画像フレーム群の各画像フレームと前記時分割ダミー画像フレーム群の各画像フレームを、前記予め格納された暗号鍵により時系列に配列した前記時分割暗号化画像フレーム群を生成し出力する暗号化画像生成部と、
前記予め格納された暗号鍵を格納し出力し、かつ、前記予め格納された暗号鍵指定信号を出力する暗号鍵格納部とを有することを特徴とする、付記９記載の暗号化画像認識システム。
【００６６】
（付記１１）
前記送信部が、
前記時分割暗号化画像フレーム群を受け前記時分割暗号化画像フレーム群を出力する暗号化画像送信部と、
前記予め格納された暗号鍵指定信号を受け前記予め格納された暗号鍵指定信号を出力する暗号鍵送信部と、
前記時分割暗号化画像フレーム群と前記予め格納された暗号鍵指定信号とを受け、前記時分割暗号化画像フレーム群と前記予め格納された暗号鍵との同期信号を生成し出力する画像・鍵同期制御部とを有することを特徴とする、付記９乃至１０の何れか１項記載の暗号化画像認識システム。
【００６７】
（付記１２）
前記復元部が、
前記予め格納された暗号鍵を格納し、前記予め格納された暗号鍵指定信号を受けて前記予め格納された暗号鍵を出力する暗号鍵格納部と、
前記予め格納された暗号鍵と前記同期信号とを受けて、前記予め格納された暗号鍵と前記同期信号に応じたシャッター開閉信号を生成し出力するシャッター制御部と、
前記シャッター開閉信号を受け前記シャッター開閉信号に応じた開閉を行うシャッター部とを有することを特徴とする、付記９乃至１１の何れか１項記載の暗号化画像認識システム。
【００６８】
（付記１３）
前記復元部が、複数の暗号鍵の中から暗号鍵を指定する暗号鍵指定部を有し、前記暗号鍵指定部で指定された暗号鍵と前記同期信号に応じたシャッター開閉信号を生成し出力するシャッター制御部と、
前記シャッター開閉信号を受け前記シャッター開閉信号に応じた開閉を行うシャッター部とを有することを特徴とする、付記１乃至１２の何れか１項記載の暗号化画像認識システム。
【００６９】
（付記１４）
前記復元部が複数であることを特徴とする、付記１４記載の暗号化画像認識システム。
【００７０】
（付記１５）
前記復元部が、メガネ構造、或いは、ヘルメットのバイザー構造、或いは、目に直接挿入するコンタクトレンズ構造、或いは、自動車等のフロントガラスもしくはサイドガラスであることを特徴とする、付記１乃至１４の何れか１項記載の暗号化画像認識システム。
【００７１】
（付記１６）
前記ダミー画像を構成する色の比率が、前記元画像を構成する色の比率と同等であることを特徴とする、付記２乃至４、或いは、６乃至８、或いは、１０乃至１５の何れか１項記載の暗号化画像認識システム。
【００７２】
（付記１７）
入力された元画像に応じて時分割暗号化画像フレーム群と前記時分割暗号化画像フレーム群に対応した暗号鍵とを生成し出力する第１のステップと、
前記時分割暗号化画像フレーム群と前記暗号鍵とに応答して同期信号を生成し、前記同期信号を前記時分割暗号化画像フレーム群と前記暗号鍵と共に出力する第２のステップと、
前記時分割暗号化画像フレーム群と前記同期信号とに応じて暗号化画像を表示する第３のステップと、
前記暗号鍵と前記同期信号に応答して前記暗号化画像を復元する第４のステップとを有することを特徴とする暗号化画像認識方法。
【００７３】
（付記１８）
前記第１のステップが、
所定の元画像の時分割数およびダミー画像の時分割数を決定し出力するステップと、
前記元画像と前記元画像の時分割数から時分割元画像フレーム群を生成し出力するステップと、
前記元画像と前記ダミー画像の時分割数から時分割ダミー画像フレーム群を生成し出力するステップと、
前記時分割元画像フレーム群および前記時分割ダミー画像フレーム群を受け、前記時分割元画像フレーム群の各画像フレームと前記時分割ダミー画像フレーム群の各画像フレームをランダムに、或いは、一定の規則性を持たせて配列した前記時分割暗号化画像フレーム群および前記時分割暗号化画像フレーム群の配列情報を生成し出力するステップと、
前記配列情報に応答した前記暗号鍵を生成し出力するステップとを有することを特徴とする、付記１７記載の暗号化画像認識方法。
【００７４】
（付記１９）
前記第２のステップが、
前記時分割暗号化画像フレーム群を受け前記時分割暗号化画像フレーム群を出力するステップと、
前記暗号鍵を受け前記暗号鍵を出力するステップと、
前記時分割暗号化画像フレーム群と前記暗号鍵とを受け、前記時分割暗号化画像フレーム群と前記暗号鍵との同期信号を生成し出力するステップを有することを特徴とする、付記１７乃至１８の何れか１項記載の暗号化画像認識方法。
【００７５】
（付記２０）
前記第４のステップが、
前記暗号鍵と前記同期信号を受けて前記暗号鍵と前記同期信号に応じたシャッター開閉信号を生成し出力するステップと、
前記シャッター開閉信号を受け前記シャッター開閉信号に応じた開閉を行うステップとを有することを特徴とする、付記１７乃至１９の何れか１項記載の暗号化画像認識方法
（付記２１）
入力された元画像と予め格納された暗号鍵に応じて時分割暗号化画像フレーム群を生成し、前記時分割暗号化画像フレーム群と前記予め格納された暗号鍵とを出力する第１のステップと、
前記時分割暗号化画像フレーム群と前記予め格納された暗号鍵とに応答して同期信号を生成し、前記同期信号を前記時分割暗号化画像フレーム群と前記予め格納された暗号鍵と共に出力する第２のステップと、
前記時分割暗号化画像フレーム群と前記同期信号とに応じて暗号化画像を表示する第３のステップと、
前記予め格納された暗号鍵と前記同期信号に応答して前記暗号化画像を復元する第４のステップとを有することを特徴とする暗号化画像認識方法。
【００７６】
（付記２２）
前記第１のステップが、
所定の元画像の時分割数およびダミー画像の時分割数を決定し出力するステップと、
前記元画像と前記元画像の時分割数から時分割元画像フレーム群を生成し出力するステップと、
前記元画像と前記ダミー画像の時分割数から時分割ダミー画像フレーム群を生成し出力するステップと、
前記時分割元画像フレーム群および前記時分割ダミー画像フレーム群を受け、前記時分割元画像フレーム群の各画像フレームと前記時分割ダミー画像フレーム群の各画像フレームを、前記予め格納された暗号鍵により時系列に配列した前記時分割暗号化画像フレーム群を生成し出力するステップと、
前記予め格納された暗号鍵を格納し出力するステップとを有することを特徴とする、付記２１記載の暗号化画像認識方法。
【００７７】
（付記２３）
前記第２のステップが、
前記時分割暗号化画像フレーム群を受け前記時分割暗号化画像フレーム群を出力するステップと、
前記予め格納された暗号鍵を受け前記予め格納された暗号鍵を出力するステップと、
前記時分割暗号化画像フレーム群と前記予め格納された暗号鍵とを受け、前記時分割暗号化画像フレーム群と前記予め格納された暗号鍵との同期信号を生成し出力するステップとを有することを特徴とする、付記２１乃至２２の何れか１項記載の暗号化画像認識方法。
【００７８】
（付記２４）
前記第４のステップが、
前記予め格納された暗号鍵と前記同期信号を受けて前記予め格納された暗号鍵と前記同期信号に応じたシャッター開閉信号を生成し出力するステップと、
前記シャッター開閉信号を受け前記シャッター開閉信号に応じた開閉を行うステップとを有することを特徴とする、付記２１乃至２３の何れか１項記載の暗号化画像認識方法
（付記２５）
入力された元画像と予め格納された暗号鍵に応じて時分割暗号化画像フレーム群を生成し、前記時分割暗号化画像フレーム群と前記予め格納された暗号鍵指定信号とを出力する第１のステップと、
前記時分割暗号化画像フレーム群と前記予め格納された暗号鍵指定信号とに応答して同期信号を生成し、前記同期信号を前記時分割暗号化画像フレーム群と前記予め格納された暗号鍵指定信号と共に出力する第２のステップと、
前記時分割暗号化画像フレーム群と前記同期信号とに応じて暗号化画像を表示する第３のステップと、
前記予め格納された暗号鍵指定信号に応答して、予め格納された暗号鍵を出力し、前記予め格納された暗号鍵と前記同期信号から前記暗号化画像を復元する第４のステップとを有することを特徴とする暗号化画像認識方法。
【００７９】
（付記２６）
前記第１のステップが、
所定の元画像の時分割数およびダミー画像の時分割数を決定し出力するステップと、
前記元画像と前記元画像の時分割数から時分割元画像フレーム群を生成し出力するステップと、
前記元画像と前記ダミー画像の時分割数から時分割ダミー画像フレーム群を生成し出力するステップと、
前記時分割元画像フレーム群および前記時分割ダミー画像フレーム群を受け、前記時分割元画像フレーム群の各画像フレームと前記時分割ダミー画像フレーム群の各画像フレームを、前記予め格納された暗号鍵により時系列に配列した前記時分割暗号化画像フレーム群を生成し出力するステップと、
前記予め格納された暗号鍵を格納し出力し、かつ、前記予め格納された暗号鍵指定信号を出力するステップとを有することを特徴とする、付記２５記載の暗号化画像認識方法。
【００８０】
（付記２７）
前記第２のステップが、
前記時分割暗号化画像フレーム群を受け前記時分割暗号化画像フレーム群を出力するステップと、
前記予め格納された暗号鍵指定信号を受け前記予め格納された暗号鍵指定信号を出力するステップと、
前記時分割暗号化画像フレーム群と前記予め格納された暗号鍵指定信号とを受け、前記時分割暗号化画像フレーム群と前記予め格納された暗号鍵指定信号との同期信号を生成し出力するステップとを有することを特徴とする、付記２５乃至２６の何れか１項記載の暗号化画像認識方法。
【００８１】
（付記２８）
前記第４のステップが、
前記予め格納された暗号鍵を格納し、前記予め格納された暗号鍵指定信号を受けて前記予め格納された暗号鍵を出力するステップと、
前記予め格納された暗号鍵と前記同期信号とを受けて、前記予め格納された暗号鍵と前記同期信号に応じたシャッター開閉信号を生成し出力するステップと、
前記シャッター開閉信号を受け前記シャッター開閉信号に応じた開閉を行うステップとを有することを特徴とする、付記２５乃至２７の何れか１項記載の暗号化画像認識方法。
【００８２】
（付記２９）
前記第４のステップが、複数の暗号鍵の中から暗号鍵を指定するステップを有し、前記暗号鍵指定ステップで指定された暗号鍵と前記同期信号に応じたシャッター開閉信号を生成し出力するステップと、
前記シャッター開閉信号を受け前記シャッター開閉信号に応じた開閉を行うステップとを有することを特徴とする、付記１７乃至２８の何れか１項記載の暗号化画像認識方法。
【００８３】
（付記３０）
前記第４のステップが複数の箇所で行われることを特徴とする、付記２９記載の暗号化画像認識方法。
【００８４】
（付記３１）
前記第４のステップが、メガネ構造、或いは、ヘルメットのバイザー構造、或いは、目に直接挿入するコンタクトレンズ構造、或いは、自動車等のフロントガラスもしくはサイドガラスで行われることを特徴とする、付記１７乃至３０の何れか１項記載の暗号化画像認識方法。
【００８５】
（付記３２）
前記ダミー画像を構成する色の比率が、前記元画像を構成する色の比率と同等であることを特徴とする、付記１８乃至２０、或いは、２２乃至２４或いは、２６乃至３１の何れか１項記載の暗号化画像認識方法。
【符号の説明】
【００８６】
１、２、５、６、７    暗号化画像認識システム
１０、２００、５００、６００、７００    暗号化部
２０１、５０１、６０１、７０１    時分割数決定部
２０２、５０２、６０２、７０２    時分割元画像生成部
２０３、５０３、６０３、７０３    時分割ダミー画像生成部
２０４、５０４、６０４、７０４    暗号化画像生成部
２０５、７０５    暗号鍵生成部
５０５、６０５    暗号鍵格納部
１１、２１０、５１０、６１０、７１０    送信部
２１１、５１１、６１１、７１１    暗号化画像送信部
２１２、５１２、７１２    暗号鍵送信部
６１２    暗号鍵指定信号送信部
２１３、５１３、６１３、７１３    画像・鍵同期制御部
１２、２２０、５２０、６２０、７２０    表示部
１３、２３０、５３０、６３０、７３０    復元部
１５、２３１、５３１、６３１、７３２    シャッター制御部
１４、２３２、５３２、６３２、７３３    シャッター部
６３３    暗号鍵格納部
７３１    暗号鍵指定部
【図１】
0005867117.tif 000002
【図２】
0005867117.tif 000003
【図３Ａ】
0005867117.tif 000004
【図３Ｂ】
0005867117.tif 000005
【図４Ａ】
0005867117.tif 000006
【図４Ｂ】
0005867117.tif 000007
【図５】
0005867117.tif 000008
【図６】
0005867117.tif 000009
【図７】
0005867117.tif 000010